(57)【要約】【課題】室内全体又は部分的床暖房を効率よくできる電熱式で、フリーアクセスフロアに適応する床暖房装置の開発を目的とする。【解決手段】遠赤外線を照射する電熱式の面状発熱体１を固定しないで断熱材３とともに敷設して、その面状発熱体１を覆うように垂下縁５を有する脚６付きのアルミニウム製等の金属製床パネル２で、こもり熱の空間１１をもって囲繞した構成である。金属製床パネル２は床４と絶縁されまた相互に絶縁されており、さらに金属製床パネル２同士は間隙をもって連結されていて、伝導熱で面状発熱体１から受けたこもり熱が拡散してゆくのを防止している。床材にストレスを与えることなく、熱効率よく省エネで、フリーアクセスフロアに適応した変更が容易で、パーソナル暖房も可能な床暖房ができる。【選択図】図１
2005194740.tif 000002
【特許請求の範囲】
【請求項１】
フロアに面状発熱体１を敷き、その面状発熱体１を空間１１をおいて垂下縁５を有する金属製床パネル２で覆ったことを特徴とする面状発熱体と金属製床パネルを用いた二重床暖房装置。
【請求項２】
一定面積の断熱材３上に一定面積の面状発熱体１を載せ、面状発熱体１には接触せずにこれを空間１１をおいて覆う金属製床パネル２からなる組立体であることを特徴とする面状発熱体と金属製床パネルを用いた二重床暖房装置。
【請求項３】
フロアに一定面積の断熱材３と一定面積の面状発熱体１とを帯状に敷設し、これを金属製床パネル２で金属製床パネル２上面の裏側に空間１１を形成するように覆ったことを特徴とする面状発熱体と金属製床パネルを用いた二重床暖房装置。
【請求項４】
前記金属製床パネル２は正方形の上面と四隅に脚６を有し、対向する脚６の間には１以上の垂下縁５を形成してあり、複数の金属製床パネル２を接触しないように連結しかつ電気的に絶縁して並べることで任意のかたちの区画域を形成して、その区画域を暖房することを特徴とする請求項１又は請求項２又は請求項３のいずれかに記載の面状発熱体と金属製床パネルを用いた二重床暖房装置。
【発明の詳細な説明】
【技術分野】
【０００１】
本発明は、面状発熱体と、床下配線または床下空調を行うためのアルミニウム製等の金属製床パネルとを用いた二重床暖房装置に関するものである。
オフィスビルのフリーアクセスフロアにおける床暖房及び一般家庭の床暖房の技術分野に関連する。
【背景技術】
【０００２】
近年、オフィスビル、住宅などにおける二重床暖房システムとして、二重床パネル内に温水を循環させるためのパイプを配管し、温水を熱源とする床暖房システムが普及してきている。
【０００３】
しかし、従来の温水循環型での二重床パネル暖房システムでは、熱伝導率が良好とは言えないパネル部材の課題や構造的課題があり、室内全体が暖まるまでに時間がかかりすぎるなど速暖性や熱効率や熱源の有効利用率に問題があった。
又、オフィスのＯＡフロアでは、レイアウトの変更や机の移動等が頻繁に行われるので、床はハードでかつ移設移動が簡単にできなければならない。
温水循環型ではこのような配線の変更や移動には、簡単には対応できないという課題があった。
ＯＡフロア等のフリーアクセスフロアでは、暖房手段もフリーに変更自在で、固定されないことが要請される。
【０００４】
また、温風や冷風又は温水や冷水を循環させるための熱循環パイプを床全体に満遍なく配管敷設する形態の流体系のものを熱源とする床暖房では、敷設工事も比較的コスト高で、工事も容易ではなく、保守管理も容易ではなかった。
【０００５】
その他の方策として、温水パイプを二重床パネル内の温水マット中に配管する方法がある。しかしながらこの方法でも、室内全体が暖まるまで時間がかかるとの課題があり、熱効率の面でも改良の余地がある。
また、従来の床暖房で使用されている床材や、合成樹脂材や、コンクリート製材や大理石などでは、頻繁な直接的な温度調節ではこれら床材に頻繁にストレスを与えることになるといわれている。
二重床は、床パネル部材の面でも開発の余地があった。
因みに、床暖房システムには次の先行技術がある。
【特許文献１】特開２０００−２８３４７９号公報（名称：床暖房システム）                特開平１０−１０６７３０号公報（二重床反射式床暖房装置及びそれに試用される部材）
【発明の開示】
【発明が解決しようとする課題】
【０００６】
本発明は、流体系の熱源を用いるのではなく、コスト安にできる電気での二重床の床暖房装置を提供し、オフィスや家庭において、床全面ばかりでなくパーソナル暖房をも可能する床暖房システムを開発するものである。
従来の流体系の床暖房システムに比較してもコストパフォーマンスの高い床暖房システムの開発を課題とするもので、勿論フリーアクセスフロアに施工してもそのフロアとしての機能を妨げることはない。
解決しようとする課題の一つは、従来の二重床は、二重床パネル部材に熱伝導率の悪い部材が用いられているため室内が暖まるまでに時間がかかりすぎる点があるので、熱伝導率が良く熱効率の良い二重床を開発する。
さらに解決しようとする課題の一つとして、従来の二重床で例えばオフィスのＯＡフロアにおいては，部屋全体や床全面の暖房を念頭においているため一人の机の周辺だけのパーソナルな暖房などにはその構成上向かない構造であった。本発明ではフロア全面暖房ばかりでなく、フロアの部分的個所でのパーソナルな暖房をすることができる床暖房システム乃至暖房装置を開発することを課題とする。
【課題を解決するための手段】
【０００７】
電熱式で床暖房するためにはコンクリート床自体に電熱線を埋設するとか、床面上に電熱マットを敷設することで暖房はできるが、前者は主に建築段階からの事前埋設が必要であって固定式であるため後付けやレイアウト変更等の場合のフレキシビリティに欠け、一方後者は床面上におくだけであるのでオフィスのような場所では踏まれて断線するなど耐久性が低いという難点がある。
【０００８】
本発明に係る面状発熱体と金属製床パネルを用いた二重床暖房装置は、フロアに電熱式の面状体のヒーターであって遠赤外線放射発熱機能等がある面状発熱体を敷き、その面状発熱体をこもり熱の空間をおいて覆う（囲繞する）ように垂下縁を有する脚付きのアルミニウム製等の金属製床パネルを敷設した構成である。
面状発熱体からの発生熱をそれを覆う空間にこもり熱として滞留させて金属製床パネルに伝熱して床暖房するものである。その空間がつながる区画域では均等に暖房することができる。
面状発熱体は、例えば帯状のガラス繊維基布体にカーボンとテフロン（登録商標）を含浸して焼成し、その表面両側に電極を平行に設け、それを絶縁フィルムでラミネートした構成である。
電極は、銅箔をプリント又は貼着又は縫着して形成される。
なお、含浸するカーボンには適宜のセラミック類を調合して、低い温度で遠赤外線を安定して放射する調整も可能である。
面状発熱体は、遠赤外線ＰＴＣフィルムを使用することもできる。
この面状発熱体を、フロア上に置き、その周りに所定容積の空間を設けて上面の裏側の内部空間に滞留させる構成を開発して、こもり熱を保持して効率よく暖房することを達成したものである。
面状発熱体は、固定して設置されてしまうとフリーアクセスフロアの頻繁な開閉や変更の自由性という役目が失われてしまうので、フリーにすることが必要である。
そして、この面状発熱体に不測の加重が加わることや、間仕切りのビスなどが突き刺さることなどから保護しなければならない。
本発明では、面状発熱体をフリーにするという着想を基本として、金属製床パネルを面状発熱体の保護の役目も担うことにする構成で、本発明を達成したものである。
しかも複数の金属製床パネル２を接触しないように連結し、かつ電気的に絶縁して並べることで任意のかたちの区画域を形成している特徴がある。
金属製床パネルは、合成樹脂製の脚座で位置決めされて、相互に接触しない位置で上面端部でも微細な隙間を持って並べられており、金属製床パネルが接触した場合のような熱伝導がないので、一個、一個で面状発熱体からの遠赤外線放射によるこもり熱を保持して、熱拡散がなく伝熱ロスがない構成になっている。
又、金属製床パネルは、壁面近くに敷設されるときも壁面とも接触しないで微細な空間をおいている。つまり、金属製床パネルは、フロアに接触する端部は脚座やブッシングで保持され、金属製床パネル同士の対向する端部や壁面とは微細な空隙をおいていて、熱伝導すべき接触がなくかつ絶縁されて設置されているものである。
【０００９】
面状発熱体の下には、断熱材を敷くが、断熱材は金属製床パネルの高さにあわせて、金属製床パネルの上面の裏側に空間を確保するために、適宜の厚さに決定される。
この断熱材の厚みの設定で、こもり熱の空間容積が決定できる。
断熱材は、発泡材等の断熱材のほか、断熱塗料を塗布してもよい。
【００１０】
さらには、二重床暖房装置は、一定面積、例えば１平方メートルの大きさの断熱材と１平方メートルの面状発熱体とこれを覆う１平方メートルの連結面積体となるアルミニウム製等の金属製床パネルからなる長方形状の組立体に構成してもよい。
このような組立体では、工場での事前生産が可能であり、既設のＯＡフロアの任意の個所から一定面積を剥がしとって、その部分に当該組立体を嵌め込んで部分的暖房を行なうようにすることもできる。
独立した組立体にすれば、リフォームや修理も容易である。
【００１１】
前記金属製床パネルは、正方形の上面と四隅に脚を有し、対向する脚の間には１以上の垂下縁を形成してあり、金属製床パネルを並べることで任意のかたちこもり熱の空間を形作る区画域を形成できる。
【００１２】
１以上の垂下縁とは、左右側部の一方に閉塞板となる垂下縁を設ける構成、左右側部の両側に設ける構成、背部と左右側の三方に設ける構成を含む。
垂下縁で囲繞することで、一定面積内に暖熱を囲うことになる。
【００１３】
垂下縁は、空間を囲繞するという効果のほかに、金属製床パネルを床面に水平に維持する脚の役目もするもので、フロアの隅部の隙間部材としても利用することができるものでもある。
【発明の効果】
【００１４】
本発明の面状発熱体とアルミニウム製等の金属製床パネルを用いた二重床暖房装置によれば、第一に二重床パネルの部材として熱伝導率の高いアルミニウム又は銅製などの熱伝導効果のある素材を床表面に用いることにより、熱源を問わずに室内全体を短時間で暖められる利点がある。
【００１５】
そしてまた、金属製床パネルは、相互に電気的に絶縁されかつフロアとも電気的に絶縁され、かつ微細な間隙をおいて接触することなく相互に脚座で連結して所定位置に並べられている。
その金属製床パネル夫々が、独立して面状発熱体からの熱をこもり熱として保持して床暖房をしてゆくので、伝熱ロスがない床暖房となっている。
二重床パネル表面各部の温度のムラがないため、室内各部の温度全体を均一に暖めることが可能となる。
前記のように、金属製床パネルはその脚に絶縁性合成樹脂の脚座を履いて連結されるもので、ＯＡフロアとしてはフロア（スラブ）からも金属製床パネルごとにも電気的には絶縁している。
【００１６】
しかも、電気で遠赤外線放射して暖まる面状発熱体を敷設して、アルミニウム製等の金属製床パネルの裏面空間にこもり熱を閉塞して暖房熱として用いているので、ムラなく表面に輻射して効率的にフロア表面に伝わる。
つまり、遠赤外線や電熱を金属製床パネルの裏面で受け、温熱空気をアルミニウム製等の金属製床パネルの内部空間に滞留させて、熱拡散を防止して効率よく床面を暖房することを達成したものである
これは、アルミニウム製等の金属製床パネルの周囲にそのアルミニウム製等の金属製床パネルの並べ方で一定容積に囲繞された区画域を形成できる少なくとも１以上の垂下縁を設けた構成としたためである。
【００１７】
又、電気式の面状発熱体で、設定温度５０℃〜８０℃で暖房するものであるので、パイプ内を高温温水や冷風空気を循環させて冷暖房を行なうシステムに比べて、過熱がなく、きわめて保守管理や安全性が高いものとなっている。
【００１８】
面状発熱体の下には、断熱材を敷いて床下への伝熱ロスを少なくしている。
特に比較的保形性のある発泡樹脂板等の断熱板を使用した場合は、断熱材と面状発熱体とアルミニウム製等の金属製床パネルからなる一体的な組立体となる。
組立体としたときには、そのまま商品として単体で販売することもできるし、既設のＯＡフロアの一部暖房リフォーム部品として利用することもできる。
【００１９】
アルミニウム製等の金属製床パネルは、前記したとおり正方形の上面を有し、四隅に脚を有し、対向する脚の間には１以上の垂下縁を形成してある。
この垂下縁を利用してアルミニウム製等の金属製床パネルを適宜並べることで任意のかたちの区画域を囲繞し形成できる。
区画域は、アルミニウム製等の金属製床パネルを１個分を最小単位とする空間や、方形の複数個分の区画域や、環状に連通する区画域など、垂下縁の配置や形状で、任意に設計できる。
【００２０】
なお、金属製床パネルの脚より若干長い寸法で左右に垂下縁を設けたアルミニウム製等の金属製床パネルは、室内の壁・柱等の隅切り端部に合わせて切断して使用することができるという効果もある。
又、アルミニウム製の金属製床パネルの場合は、施工の現場でも切断等の加工作業が容易であり、金属製床パネルの一部をカットすることで、金属製床パネルの高さや幅を調整できる。
例えば下部をカットして、調整高さを既存のフロアと表面を均一にして調整でき、加えて脚部を連結する脚座で床の凹凸をカバーできるので、がたつくことはなく、表面仕上げがスムーズにできる。
【発明を実施するための最良の形態】
【００２１】
ここで、本発明に係る面状発熱体と金属製床パネルを用いた二重床暖房装置の実施の形態について説明する。
この実施の形態は、オフィスＯＡフロア（フリーアクセスフロア）に部分的な暖房をする場合のパーソナル床暖房として実施した形態である。
室内全面の暖房は、パーソナル暖房の構造と同じものを、部屋にあわせて必要なだけ形成すれば、フロア全体の暖房も容易にできるので、詳説しない。
以下において本発明のパーソナル暖房を実施した一形態を添付図面に基づいて説明する。
【実施例１】
【００２２】
図１は、面状発熱体１と金属製床パネル２を用いた二重床暖房装置の実施例１を示したものである。
図１は、面状発熱体１の上方に空間１１をおいてアルミニウム製等の金属製床パネル２を一列に４個並べたパーソナル床暖房のタイプであり、その部分を表した斜視図である。
面状発熱体１の下には、略同形の断熱材３を、フロア４上に敷設している。
断熱材３の厚さは、面状発熱体１が金属製床パネル２に接触しないようにかつこもり熱の空間１１を形成するような高さである。
【００２３】
実施例１は、断熱材３の上に電熱式の面状発熱体１を敷き、その面状発熱体１をこもり熱の空間１１をおいてかつそのこもり熱を逃がさずに覆うように垂下縁５を有する脚６付きのアルミニウム製等の金属製床パネル２で囲繞し、敷設した構成である。
【００２４】
面状発熱体１は、電熱式であり、図示していないが設定温度を変更できる温度調節装置とコンセント付きのリード線を備える。
面状発熱体１は、図２の断面図に示すように、帯状のガラス繊維基布体にカーボンとテフロン(登録商標)を含浸して焼成して発熱シートを形成し、その表面両側に電極である銅泊を平行に逢着して、それをポリエチレン等の絶縁フィルム（絶縁材）でラミネートした構成である。
発熱シートを絶縁材で被覆したシート状のものであるので、耐圧性に優れ、発熱シートは左右の電極からの通電で９，８ミクロンの遠赤外線を大量に発生する。
【００２５】
実施例１のアルミニウム製等の金属製床パネル２は、１６，５Ｃｍ又は３３Ｃｍ四方で，四隅に５Ｃｍ〜１１Ｃｍの円錐柱の脚６を形成したものである。
尚この寸法は、あくまで実施例であり、種々の寸法を採用できる。
金属製床パネル２の裏面は、強度の要請上、リブ（立縁）をハニカム状に形成しているので、熱の伝導もよくこもり熱を良く滞留できる。
又、金属製床パネル２の左右側部には、前記脚６より若干長い寸法の閉塞板となる垂下縁５を形成している。
脚６が脚座９を装填したときの高さと、垂下縁５の高さは一致する寸法である。
脚座９は、絶縁性があり、断熱性の高い合成樹脂製であり、脚６を所定位置に挿入する４本の円筒状部を立設したものである。
図１では、脚座９は、一つだけを図示しているが、隣接する脚６を連結するようにすべての脚６が履いて連結される。
実施例１のアルミニウム製等の金属製床パネル２では、正面を示す図３、側面を示す図４のように、垂下縁５は、パネル２の左右側部に設けている。
尚、垂下縁５は、一方の側部のみに設けてもよく、左右側部と背部の三方に設けても、四方全部に垂下縁５を設けることも可能である。
【００２６】
アルミニウム製等の金属製床パネル２は、そのリブや垂下縁５があるために、温熱空気をアルミニウム製等の金属製床パネル２の内部空間１１に滞留させる区画域を形成することになる。
このことは反面、面状発熱体１をセットしていない区画域以外のフロアでは、ＯＡフロアとして、配線等を熱から保護することになる。
【００２７】
又、図示のアルミニウム製等の金属製床パネル２は上面略正方形で四隅に脚６を有し脚６の間には垂下縁５を形成してあるものなので、必要な時はアルミニウム製等の金属製床パネル２を適宜の方向で並べることで任意のかたちの区画域を形成できる。
パーソナル床暖房といっても、机の大きさや、デスク周りなど、実際に必要とされる面積はまちまちであるが、本発明では任意のかたちの区画域を囲繞形成できる。
実施例１では、複数の金属製床パネル２を接触しないように連結し、かつ電気的に絶縁して並べることで任意のかたちの区画域を形成している。
金属製床パネル２は、脚６を挿入する合成樹脂製の脚座９で位置決めされて、相互に接触しない位置で上面端部でも微細な隙間を持って並べられている。
この配置により、金属製床パネル２が接触した場合のような熱伝導や拡散がないので、一個、一個で面状発熱体からの遠赤外線放射によるこもり熱を保持することになる。熱拡散がなく伝熱ロスがない配置構成になっている。
又、金属製床パネル２は、部屋の壁面近くに敷設されるときも壁面とも接触しないで微細な空間をおいている。
つまり、金属製床パネルは、フロア４に接触する端部は脚座９や絶縁性があり断熱性の高いブッシング１２で保持され、金属製床パネル同士の対向する端部や壁面とは微細な空隙をおいていて、熱伝導すべき接触がなくかつ絶縁されて設置されているものである。
【００２８】
現場での組み立てられる構成のほかに、さらには、当初から工場で一定面積、例えば金属製床パネル２を四個直列にならべた組立体や、例えば１平方メートルの大きさの断熱材３と１平方メートルの面状発熱体１とこれを覆う１平方メートルの連結面積体となるアルミニウム製等の金属製床パネル２からなる組立体にしておいてもよい。
このような組立体では、既設のＯＡフロア４の任意の個所から一定面積を剥がしとって、その部分に当該組立体を嵌め込んで部分的暖房を行なうようにすることもできる。
【００２９】
図３、図４に示すようなアルミニウム製等の金属製床パネル２は、室内の壁・柱等の付近の隅切り端部に合わせて置くためにも利用できる。
つまり巾を狭くカットした場合にも、支持脚となる垂下縁５を左右辺部に具備するので細くても自立するので、安定して隅部に配置できる。
なお、金属製床パネル２の上面形状や、大きさや高さ寸法は適宜設計できることは言うまでもない。
例えば、金属製床パネル２は、表面に何かのパイプ等を装填するために、凹条２２を形成してもよい。凹条２２があることによって他の追加配線が可能になり、不法侵入者のセンサーや漏水センサーなどを装填して、他の機能を発揮させることがある。
【００３０】
このように、本実施形態によれば、アルミニウム製等の金属製床パネル２自体が室内の壁・柱等の隅切り端部に合わせてカットして安定して設置することができるものであるとともに、その垂下縁５を利用して一定区画域を形成できるので、面状発熱体１とこもり熱の空間１１を介しての組合わせによって効率的な床暖房も可能になったのである。
特に、金属製床パネル２の素材にアルミニウムを用いているため、一部パーソナルな部分暖房はもちろん、室内床全体でも短時間で暖められることが容易になっている。
【００３１】
オフィスでは、夏場でも冷房の冷えすぎでせめて足だけでも暖めたいくらいという女性も多い。「オフィスの足冷え」はオフィスワーカーでは深刻であり健康障害になることもある。
この「オフィスの足冷え」に即応するものとして、本発明はこの要望にも叶うものである。
本発明の暖房装置では、部分的に頭寒足熱の環境ができ、事務能率のアッップにつながる。
そして、足下から暖め、遠赤外線放射や金属の速暖性などで暖房の効率が良いので、少ない電力使用量で省エネになる効果もある。
【００３２】
なお、パーソナル暖房などの部分床暖房では、床暖房がフリーアクセスフロアのどの部分に設置されているかは、色違いの金属製床パネルを用いるとか、パネルカバーにシールを貼って明示するなど、明示手段を設けるのが好ましい。
【実施例２】
【００３３】
図１の実施例１の態様を床全体に施すことや、一列おきに配置することで、床全体の暖房装置の実施例２を提供できる。
実施例２は、図１の暖房装置を床全体に並べたものである。
本発明の床からの暖房は、全面床暖房にしても、面状発熱体１の性質上、温度が過度になることはなく、さらに従来のように暖かい空気が天井に溜まることで「足冷え」がおこり自然と空調温度が高くなるということもなく、又エネルギーロスも少ないので、省エネ効果も高い。
【実施例３】
【００３４】
面状発熱体１の幅と、金属製床パネル２の幅があわずに金属製床パネル２の脚が面状発熱体１を踏んで加圧してしまうような寸法の場合は、面状発熱体１及び断熱材３に前記アルミニウム製等の金属製床パネルの脚部間隔と同じ間隔で孔８を設けてもよい。
孔８には、前記アルミニウム製等の金属製床パネル２の脚部６を支持する連結用の脚座９をセットして、金属製床パネル２を連結してゆく。孔８の形状は、脚座９と相似の形状になり、図中では正方形の孔８となっている。
この孔８は、位置決めの機能がある。所定の位置にある孔８に装填された脚座９にパネル２の脚６を差し込めば、アルミニウム製等の金属製床パネル２がきちんと整然と並べられ敷設が容易になる。
孔８の形成は独特の技術で行うので、面状発熱体１はこの孔８の開設によって電熱効果が減衰することはない。
孔８をあけて面状発熱体１を配置することは、位置ずれがしないので、例えば壁面暖房など、水平でない箇所での暖房装置の設置に利用できる。
【００３５】
以上の実施例１，実施例２，実施例３とも、断熱材３と面状発熱体１を、こもり熱の空間１１をおいて、接触することなく、金属製床パネルで一定面積の空間にして囲繞したという構成で共通する特徴を有する。
その面状発熱体１は遠赤外線放射して、こもり熱を伝熱してゆくので、直接の温度変化でストレスを金属製床パネル２に与えることなく、かつ区画された面上の温度にムラがないためアルミニウムの熱効率の良さと相俟って、短時間でムラなく暖めることができるという特有の効果が発揮される。
【産業上の利用可能性】
【００３６】
（１）オフィスや一般家屋において、漏水や漏電のない安全な床暖房システムとして利用できる。
（２）熱効率がよく、部分的な暖房が可能であるので、部屋全体の空調温度も自然と低下し省エネに寄与することになる。
（３）既設のＯＡフロアの一部床暖房リフォームなどに利用できる。
（４）床暖房自体が固定されていないので、フリーアクセスフロアの頻繁な移設や変更にも対応できる。
（５）床暖房のほかに、壁面暖房や、机の周りのパーテーションに本装置をセットして、パーテーション暖房にも発展できる。
【００３７】
このほか、面状発熱体の敷設パターンにより、オフィスや店舗内に、寒暖の区域分けが可能で、作業内容によっては、寒暖環境を設定することで業務効率の改善に応用することも可能である。
特にフリーアクセスフロアに適した床暖房装置である。
【図面の簡単な説明】
【００３８】
【図１】本発明に係る面状発熱体と金属製床パネルを用いた二重床暖房装置の実施例１を示す斜視図である。
【図２】面状発熱体の一部断面図である。
【図３】金属製床パネルを脚座で連結した状態で、垂下縁や上面の間隙をを示す正面図である。
【図４】金属製床パネルの側面図ある。
【図５】金属製床パネルが面状発熱体を囲繞した状態を示す正面図である。
【図６】机の下に部分的に設置した二重床暖房装置の側面図である。
【図７】上面に凹状を備えた金属製床パネルを、所定間隔で孔を設けた面状発熱体の上に並べた状態の実施例３の斜視図である。
【符号の説明】
【００３９】
１    面状発熱体
２    アルミニウム製等の金属製床パネル
３    断熱材
４    フロア
５    垂下縁（閉塞板）
６    アルミニウム製等の金属製床パネルの脚
８    孔
９    連結用の脚座
１１  空間（こもり熱が滞留）
１２  ブッシング(絶縁性)
【図１】
2005194740.tif 000003
【図２】
2005194740.tif 000004
【図３】
2005194740.tif 000005
【図４】
2005194740.tif 000006
【図５】
2005194740.tif 000007
【図６】
2005194740.tif 000008
【図７】
2005194740.tif 000009